(57)【要約】【課題】断面欠損を防止しつつ、施工費の低減および軽量化を実現できる梁部材を提供すること。【解決手段】梁部材１０は、ハーフプレキャスト造であり、プレキャストコンクリート造の底部１１と、この底部１１に設けられて小梁４の側面を覆う側型枠１２と、を備える。側型枠１２の上端縁には、略水平に延びる横桟２２が設けられる。底部１１の上には、コンクリートが打設される。本発明によれば、底部１１のみをプレキャストコンクリート造としたので、梁部材１０を軽量化できる。また、床部材５０の端縁が構造体断面に入り込まないから、小梁４の断面欠損を防止できるうえに、従来のような増打ち部が不要となるので、施工費を低減できる。【選択図】図２
2014109152.tif 000002
【特許請求の範囲】
【請求項１】
ハーフプレキャスト造の梁部材であって、
軸方向の両端面に凹部が形成されたプレキャストコンクリート造の底部と、当該底部に設けられて梁の側面を覆う側型枠と、を備え、
前記側型枠の上端縁には、略水平に延びる横桟が設けられ、
前記底部の上にコンクリートが打設されることを特徴とする梁部材。
【請求項２】
請求項１に記載の梁部材と、当該梁部材に架設されて床を構築するための床部材と、を備える床構造であって、
前記梁部材の下側の梁主筋は、前記底部の端面から突出しておらず、
前記床部材の端縁は、前記梁部材の側型枠の横桟に載せられて、前記梁部材に支持されることを特徴とする床構造。
【請求項３】
前記床部材は、前記床の底面を覆う捨て型枠として、鋼板、プレキャストコンクリート造の平板状部材、およびデッキプレートのうちのいずれか１つと、鉄筋材とを備えることを特徴とする請求項２に記載の床構造。
【発明の詳細な説明】
【技術分野】
【０００１】
本発明は、梁部材およびこの梁部材を用いて構築される床構造に関する。
【背景技術】
【０００２】
従来より、建物の施工現場では、床や梁のコンクリート型枠を支持するため、型枠支保工が設けられる。しかしながら、型枠支保工の組立てや解体に多大な費用がかかるため、プレキャストコンクリート部材を用いることで、型枠支保工を極力少なくすることが行われている。
【０００３】
例えば、柱間あるいは梁間にプレキャストコンクリート造の梁部材（以下、ＰＣａ梁と呼ぶ）を架設する構造が知られている（特許文献１参照）。
具体的には、この梁部材は、鉄筋コンクリート造のコンクリート平板と、このコンクリート平板築したＰＣａ梁に、側面型枠を固定し、ＰＣａ梁の上部にコンクリートを打設したプレキャスト部材である。このような梁部材によれば、プレキャスト部材の軽量化により、施工現場での施工性を向上できる。
【０００４】
ところで、この場合、床捨て型枠の端縁をＰＣａ梁の側縁に載せて、デッキプレートなどの床捨て型枠をＰＣａ梁に支持させる必要がある。
しかしながら、特許文献１に示すような構造では、床捨て型枠の端縁がＰＣａ梁の構造体断面まで到達することになり、梁の断面欠損となる、という問題があった。そこで、この問題を解決するため、以下のような構造が提案されている。
【０００５】
例えば、ＰＣａ梁の側面にブラケットをボルトで仮固定して、このブラケットに床捨て型枠の端縁を載せて支持させる方法が提案されている（特許文献２参照）。
また、断面略Ｕ字形状のＰＣａ梁（ハーフＰＣａ梁）を用いて、このＰＣａ梁の側壁部をふかして非構造体である増打ち部を設け、この増打ち部に床捨て型枠の端縁を載せる方法が提案されている（特許文献３参照）。
【０００６】
このようにすれば、床捨て型枠の端縁をブラケットや増打ち部で支持するので、ＰＣａ梁の構造体部分の断面欠損を回避できる。
【先行技術文献】
【特許文献】
【０００７】
【特許文献１】特開平９−７８６９０号公報
【特許文献２】特開２００１−２８８８９３号公報
【特許文献３】特開平６−３４１１６７号公報
【発明の概要】
【発明が解決しようとする課題】
【０００８】
しかしながら、特許文献２、３のようなＰＣａ梁では、ブラケットを取り付けたり増打ち部を設けたりするために、ＰＣａ梁の側壁部もプレキャストコンクリートで構築しておく必要がある。よって、ＰＣａ梁の重量が大きくなり、ＰＣａ梁の運搬や取付けに大型のクレーンが必要となる、という問題があった。
また、ＰＣａ梁の側壁部に増打ち部を設けた場合には、ＰＣａ梁の重量が大きくなるだけでなく、増打ち部を構築するための余分な鉄筋材やコンクリートが必要となり、施工費が増大する、という問題があった。
【０００９】
本発明は、断面欠損を防止しつつ、施工費の低減および軽量化を実現できる梁部材および床構造を提供することを目的とする。
【課題を解決するための手段】
【００１０】
請求項１に記載の梁部材（例えば、後述の梁部材１０）は、ハーフプレキャスト造の梁部材であって、軸方向の両端面に凹部（例えば、後述の凹部１７）が形成されたプレキャストコンクリート造の底部（例えば、後述の底部１１）と、当該底部に設けられて前記梁の側面を覆う側型枠（例えば、後述の側型枠１２）と、を備え、前記側型枠の上端縁には、略水平に延びる横桟（例えば、後述の横桟２２）が設けられ、前記底部の上にコンクリートが打設されることを特徴とする。
【００１１】
請求項２に記載の床構造は、上述の梁部材と、当該梁部材に架設されて床（例えば、後述の床５）を構築するための床部材（例えば、後述の床部材５０）と、を備える床構造であって、前記梁部材の下側の梁主筋は、前記底部の端面から突出しておらず、前記床部材の端縁は、前記梁部材の側型枠の横桟に載せられて、前記梁部材に支持されることを特徴とする。
【００１２】
請求項３に記載の床構造は、前記床部材は、前記床の底面を覆う捨て型枠（例えば、後述の鋼板５１）、プレキャストコンクリート造の平板状部材、およびデッキプレートのうちのいずれか１つと、鉄筋材（例えば、後述の鉄筋材５２）と、を備えることを特徴とする。
【００１３】
この発明によれば、梁部材および床部材を用いて床構造を構築したので、梁や床の型枠を支持する型枠支保工を極力少なくでき、工期を短縮できる。
また、梁部材を底部と側型枠とを含んで構成し、底部のみをプレキャストコンクリート造としたので、梁部材を軽量化できる。よって、従来のような梁部材の運搬や取付けのために大型のクレーンを用いる必要がなくなる。
また、床部材の捨て型枠の端縁を梁部材の側型枠の横桟に載せて、床部材を梁部材に支持させたので、捨て型枠の端縁が構造体断面に入り込まないから、梁の断面欠損を防止できるうえに、従来のような増打ち部が不要となるので、施工費を低減できる。
また、底部の軸方向の両端面に凹部を設けたので、コンクリートを打設して底部を他の梁や柱と一体化した際に、この凹部がシャーコッターとして機能し、地震時のせん断力に十分に抵抗できる。
【発明の効果】
【００１４】
本発明によれば、梁部材および床部材を用いて床構造を構築したので、梁や床の型枠を支持する型枠支保工を極力少なくでき、工期を短縮できる。また、梁部材を底部と側型枠とを含んで構成し、底部のみをプレキャストコンクリート造としたので、梁部材を軽量化できる。よって、従来のような梁部材の運搬や取付けのために大型のクレーンを用いる必要がなくなる。また、床部材の捨て型枠の端縁を梁部材の側型枠の横桟に載せて、床部材を梁部材に支持させたので、捨て型枠の端縁が構造体断面に入り込まないから、梁の断面欠損を防止できるうえに、従来のような増打ち部が不要となるので、施工費を低減できる。また、底部の軸方向の両端面に凹部を設けたので、コンクリートを打設して底部を他の梁や柱と一体化した際に、この凹部がシャーコッターとして機能し、地震時のせん断力に十分に抵抗できる。
【図面の簡単な説明】
【００１５】
【図１】本発明の一実施形態に係る床構造の見上げ図である。
【図２】前記実施形態に係る床構造の小梁部分の断面図である。
【図３】図２のＡ−Ａ断面図である。
【発明を実施するための形態】
【００１６】
以下、本発明の一実施形態について、図面を参照しながら説明する。
図１は、本発明の一実施形態に係る床構造１の見上げ図である。
床構造１は、柱２同士の間に架設された大梁３と、この大梁３同士の間に架設された小梁４と、大梁３と小梁４との間に架設された床５と、を備える。
【００１７】
図２は、床構造の小梁部分の断面図である。図３は、図２のＡ−Ａ断面図である。
小梁４は、ハーフプレキャスト造の梁部材１０を用いて構築されている。この梁部材１０は、プレキャストコンクリート造の底部１１と、この底部１１に設けられて小梁４の側面を覆う側型枠１２と、を備えている。
また、この梁部材１０は、上側の梁主筋１３と、下側の梁主筋１４と、これら上下の梁主筋１３、１４を囲むように所定間隔おきに設けられた矩形枠状のあばら筋（せん断補強筋）１５と、を備えている。このあばら筋１５の端部フックは、下側に配置されている。
【００１８】
底部１１には、下側の梁主筋１４およびあばら筋１５の下部が打ち込まれており、さらに、梁幅方向に延びるセパレータ１６が打ち込まれている。これにより、あばら筋１５の端部フックも底部１１に打ち込まれている。
【００１９】
また、下側の梁主筋１４の端部は、上方に折り曲げられており、下側の梁主筋１４の余長部はプレキャストコンクリート造の底部１１内に納まっている。よって、下側の梁主筋１４は、底部１１の軸方向両端面から突出していない。
下側の梁主筋１４が底部１１の両端面から突出していない理由は、以下の通りである。すなわち、小梁４は、地震発生時に生じる水平荷重に対してせん断抵抗する部材ではないため、小梁４の端部を大梁３にピン接合すればよく、小梁４の下側の梁主筋１４を大梁３に定着させる必要がないからである。
【００２０】
また、この底部１１の軸方向両端面には、上下２段に凹部１７が形成されている。この凹部１７は、図３に示すように、底部１１の底面よりも上側に設けられた凹みである。
なお、これに限らず、凹部１７を底部１１の底面に到達させて、梁部材１０の運搬や取付け時の角部の欠損を防止してもよい。
さらに、底部１１には、吊上げフック１８が打ち込まれており、この吊上げフック１８の上部は、底部１１の上面に露出している。
【００２１】
側型枠１２は、小梁４の側面を覆う一対の木製のパネル材２０と、これら一対のパネル材２０の下部を底部１１に固定する固定機構３０と、一対のパネル材２０の上部を互いに連結する連結機構４０と、を備える。
【００２２】
パネル材２０は、板材２１と、この板材２１の上下端に設けられて略水平方向に延びる横桟２２と、板材２１に水平方向に所定間隔おきに設けられて略鉛直方向に延びる縦桟２３と、を備える。
【００２３】
固定機構３０は、パネル材２０の板材２１の外側に設けられて底部１１の軸方向に沿って略水平に延びる長尺材としての角パイプ３１と、底部１１のセパレータ１６に連結されたＰコン３２と、このＰコン３２に連結されて角パイプ３１を板材２１に締め付けるフォームタイ（登録商標）３３と、を備える。すなわち、フォームタイ３３は、Ｐコン３２およびセパレータ１６を介して、底部１１に連結されていることになる。
【００２４】
連結機構４０は、パネル材２０の縦桟２３の外側に設けられて略水平に延びる単管４１と、板材２１の内側に設けられたＰコン４２と、Ｐコン４２同士を連結するセパレータ４３と、Ｐコン４２に連結されて単管４１を板材２１に締め付けるフォームタイ４４と、を備える。
【００２５】
床５は、所定幅の床部材５０を複数用いて構築されている。すなわち、床部材５０は、大梁３と小梁４との間に複数並んで架設されている（図１参照）。各床部材５０は、床５の底面を覆う捨て型枠としての鋼板５１と、この鋼板５１に一体に設けられた鉄筋材５２と、を備える。
鉄筋材５２は、上側主筋５３と、鋼板５１に設けられて上側主筋５３を支持する吊材５４と、上側主筋の直下に設けられた下側主筋５５と、上側主筋５３と下側主筋５５とを連結するラチス材５６と、を備える。
【００２６】
この床部材５０の鋼板５１の端縁は、側型枠１２の上側の横桟２２に載せられて支持され、この状態で、釘５７で横桟２２に固定されている。
【００２７】
小梁４および床５は、以上の梁部材１０および床部材５０を用いて、以下の手順で構築される。
まず、梁部材１０に上側の梁主筋１３を配筋していない状態で、吊上げフック１８に図示しないワイヤーを連結してクレーンで吊り上げて、梁部材１０を大梁３同士の間に架設する。
次に、大梁３と梁部材１０との間に床部材５０を架設する。このとき、床部材５０の鋼板５１の端縁を側型枠１２の上側の横桟２２に載せて、釘５７で固定しておく。
次に、上側の梁主筋１３を配筋し、図２中破線で示す高さまでコンクリートを打設する。これにより、底部１１の上にコンクリートが打設されて、梁部材１０が大梁３に一体化される。
コンクリートの養生期間が経過した後、側型枠１２を解体する。ここで、側型枠１２を解体しても、鋼板５１は鉄筋材５２を介してコンクリート躯体に支持されるため、鋼板５１は落下しない。
【００２８】
本実施形態によれば、以下のような効果がある。
（１）梁部材１０および床部材５０を用いて床構造１を構築したので、小梁４や床５の型枠を支持する型枠支保工を極力少なくでき、工期を短縮できる。
また、梁部材１０を底部１１と側型枠１２とを含んで構成し、底部１１のみをプレキャストコンクリート造としたので、梁部材１０を軽量化できる。よって、従来のような梁部材の運搬や取付けのために大型のクレーンを用いる必要がなくなる。
また、床部材５０の鋼板５１の端縁を梁部材１０の側型枠１２の横桟２２に載せて、床部材５０を梁部材１０に支持させたので、床部材５０の端縁が構造体断面に入り込まないから、小梁４の断面欠損を防止できるうえに、従来のような増打ち部が不要となるので、施工費を低減できる。
また、底部１１の軸方向の両端面に凹部１７を設けたので、コンクリートを打設して底部１１を大梁３と一体化した際に、この凹部１７がシャーコッターとして機能して、底部１１と大梁３とが係合し、地震時のせん断力に十分に抵抗できる。
【００２９】
（２）あばら筋の端部フックを下側に配置して、予め底部１１に打ち込んだので、上側の梁主筋１３の配筋作業時に、端部フックが配筋作業の障害になるのを防止できる。
【００３０】
（３）固定機構３０により一対のパネル材２０の下部を底部１１に固定するとともに、連結機構４０により一対のパネル材２０の上部を互いに連結した。よって、後打ちコンクリートによりパネル材２０に作用する側圧が大きくなっても、側型枠１２の孕みだしを防止できる。
【００３１】
なお、本発明は前記実施形態に限定されるものではなく、本発明の目的を達成できる範囲での変形、改良等は本発明に含まれるものである。
例えば、本実施形態では、小梁４に本発明を適用して梁部材１０としたが、これに限らず、大梁３に本発明を適用してもよい。
また、本実施形態では、捨て型枠として、鋼板５１を用いたが、これに限らず、プレキャストコンクリート造の平板状部材や、デッキプレートを用いてもよい。
【符号の説明】
【００３２】
１…床構造
２…柱
３…大梁
４…小梁
５…床
１０…梁部材
１１…底部
１２…側型枠
１３…上側の梁主筋
１４…下側の梁主筋
１５…あばら筋
１６…セパレータ
１７…凹部
１８…吊上げフック
２０…パネル材
２１…板材
２２…横桟
２３…縦桟
３０…固定機構
３１…角パイプ
３２…Ｐコン
３３…フォームタイ
４０…連結機構
４１…単管
４２…Ｐコン
４３…セパレータ
４４…フォームタイ
５０…床部材
５１…鋼板（捨て型枠）
５２…鉄筋材
５３…上側主筋
５４…吊材
５５…下側主筋
５６…ラチス材
５７…釘
【図１】
2014109152.tif 000003
【図２】
2014109152.tif 000004
【図３】
2014109152.tif 000005